(57)【要約】      （修正有）【課題】外側から液量に変わる液面が目視できない構造の液体容器で、液量と液温とを同時に把握できるようにする。【解決手段】液量検知機構Ａが内容器内に垂下し、所定の間隔を隔てた二つの電極板と、高周波電圧発生器６により一方の電極板に高周波電圧を供給する高周波発振手段Ａ１と、水中を通じて他方の電極板に供給される高周波電圧を検知する高周波検知手段Ａ２と、高周波検知手段にて検知された高周波電圧を増幅する増幅手段Ａ３と、増幅手段にて増幅された高周波電圧を水位に変換する水位変換手段Ａ４と、水位変換手段にて変換された水位をマイクロコンピュータＣにより複数の段階に液晶表示する液量表示手段Ａ５とを備えると共に液温検知機構Ｂが水中内の液温を検知する液温検知手段Ｂ１と、液温検知手段にて検知された液温をマイクロコンピュータＣにより複数の段階に液晶表示する液温表示手段Ｂ２とを備えた構成としている。【選択図】図３
2008264141.tif 000002
【特許請求の範囲】
【請求項１】
液体を収容する内容器（２）と、この内容器の上端外側に把手（３）とその反対側に注ぎ口（１４）とを備えた肩部材（４）と、肩部材の上端に内容器の上端開口を開閉する蓋体（５）とを設け、内容器内の液量を検知する液量検知機構（Ａ）と、液温を検知する液温検知機構（Ｂ）とを備え、外側から内容器（２）内の液面が目視できない液体容器（１）に於いて、上記液量検知機構（Ａ）が内容器内に垂下し、所定の間隔を隔てた二つの電極板（ａ）、（ｂ）と、高周波電圧発生器（６）により一方の電極板（ａ）に高周波電圧を供給する高周波発振手段（Ａ１）と、水中を通じて他方の電極板（ｂ）に供給される高周波電圧を検知する高周波検知手段（Ａ２）と、高周波検知手段にて検知された高周波電圧を増幅する増幅手段（Ａ３）と、増幅手段にて増幅された高周波電圧を水位に変換する水位変換手段（Ａ４）と、水位変換手段にて変換された水位をマイクロコンピュータ（Ｃ）により複数の段階に液晶表示する液量表示手段（Ａ５）とを備えると共に液温検知機構（Ｂ）が水中内の液温を検知する液温検知手段（Ｂ１）と、液温検知手段にて検知された液温をマイクロコンピュータ（Ｃ）により複数の段階に液晶表示する液温表示手段（Ｂ２）とを備えたことを特徴とする液体容器。
【発明の詳細な説明】
【技術分野】
【０００１】
本発明は、内容器内の液量と液温とを確認できる液体容器に関するものである。
【背景技術】
【０００２】
一般に、外側から液面を直接目視できない内容器内の液量を知るには、例えば上端開口、下端細口とした真空二重瓶構造の内容器を設け、この内容器の前面に揚水パイプを立設し、この揚水パイプ下端と内容器の下端細口とを連通し、この揚水パイプを液体容器正面より目視可能に設け、この揚水パイプの液面を通して内容器内の液量を確認できるようにした構造のものが存在する。
【０００３】
しかしながら、このような従来の液体容器においては、内容器と連通して内容器前部に立設した揚水パイプの存在にて内容器内の液面が確認できるにすぎないために、内容器特に真空二重瓶等の上端開口しかなく、内容器と連通する揚水パイプの存在がない構造の液体容器としては、内容器内の液面即ち液量を全く知ることができないという問題点があった。
【０００４】
しかも、液面即ち液量と同様に内容器内特に真空二重瓶内の液温が所望の温度に保持されているかを知ることも全くできないという問題点があった。   
【０００５】
そこで、本出願人は、内容器内に液量検知手段と液温検知手段とを備えた検知ユニットを装着し、液体容器の肩部材内に電源とメイン制御基板、液量、液温を表示する表示板を配置するようにした液体容器を発明し、既に特願２００７−６２７２４号として出願している。
【発明の開示】
【発明が解決しようとする課題】
【０００６】
ところが、このような液体容器では、液量、液温を確実に把握できず、段階的に切換え表示するような複雑な制御フローの構成が作動し難く、しかもよりコンパクトに製作することもできないという問題点があった。
【課題を解決するための手段】
【０００７】
本発明は、液体を収容する内容器２と、この内容器の上端外側に把手３とその反対側に注ぎ口１４を備えた肩部材４と、肩部材の上端に内容器の上端開口を開閉する蓋体５とを設け、内容器内の液量を検知する液量検知機構Ａと、液温を検知する液温検知機構Ｂとを備え、外側から内容器２内の液面が目視できない液体容器１に於いて、上記液量検知機構Ａが内容器内に垂下し、所定の間隔を隔てた二つの電極板ａ、ｂと、高周波電圧発生器６により一方の電極板ａに高周波電圧を供給する高周波発振手段Ａ１と、水中を通じて他方の電極板ｂに供給される高周波電圧を検知する高周波検知手段Ａ２と、高周波検知手段にて検知された高周波電圧を増幅する増幅手段Ａ３と、増幅手段にて増幅された高周波電圧を水位に変換する水位変換手段Ａ４と、水位変換手段にて変換された水位をマイクロコンピュータＣにより複数の段階に液晶表示する液量表示手段Ａ５とを備えると共に液温検知機構Ｂが水中内の液温を検知する液温検知手段Ｂ１と、液温検知手段にて検知された液温をマイクロコンピュータＣにより複数の段階に液晶表示する液温表示手段Ｂ２とを備えた構成としている。
【発明の効果】
【０００８】
本発明は、従来の問題点を解決したものであって、外側から液量に変わる液面が目視できない構造の液体容器で、液量と液温とを同時に確実に確認把握できると共に非常にコンパクトに製作することができる液体容器を提供するにある。
【発明を実施するための最良の形態】
【０００９】
液体容器１は、図１及び図２に示すように、卓上型のポットを示すものであって、液体容器本体を兼ねる内容器２の上端に把手３を一体的に備えた肩部材４を装着し、肩部材４の上端中央で内容器２の上端開口を開閉する蓋体５を着脱自在に装着し、内容器内の液量を検知する二つの電極板ａ、ｂと、からなる液量検知機構Ａと、液温を検知する液温検知機構Ｂと、両検知機構Ａ、ＢをマイクロコンピュータＣにて制御する制御基板７と、両検知機構Ａ、Ｂの液量及び液温を表示する表示板９と、駆動源である電源８とから構成している。
【００１０】
液体容器本体を兼ねる内容器２は、ステンレス等の金属製材料又はガラス製材料により内壁１０，外壁１１間を真空引きした真空二重瓶であって、底部を同質材料の底壁２０にて覆っている。この内容器２は、上端開口以外の外側より内容器内の液面を目視することができない構造のものである。
【００１１】
内容器２は、図２に示すように、上端開口を形成する周壁を上方に延ばした内壁１０と、内壁１０の周りを囲み上端に段部を形成して、その先端を内壁の上端開口を形成する周壁の上部に重ね合わせて溶着した外壁１１とを設け、外壁１１の段部外側に肩部材用のネジを刻設している。
【００１２】
肩部材４は、図１及び図２に示すように、内側に内容器２のネジに刻設するネジ部を備えた肩部１２と、肩部１２の中央上端より下方に向けて延びた中空の受部１３と、受部１３の前方で外方に延び受部中央と連通した注ぎ口１４と、受部１３の後方で外方に延びた把手３とを一体的に設けている。
【００１３】
肩部材４の受部１３は、中央中空を形成する周壁に後述の蓋体５を螺着する雌ネジを刻設している。この肩部材４の受部１３と肩部１２と把手３との間には、後述の制御基板７、電源８や表示板９を配置する空間部１５を設けている。   
【００１４】
この受部１３と肩部１２との間の後方には、上記空間部１５内と連通した透孔を備えている。把手３は、下端を外壁１１の下端後方に設けたアングルにビス１６にて固定されている。
【００１５】
液量を検知する二つの電極板ａ、ｂは、約２mmから約６mmの所定の間隔を隔てて立設した二本の金属製管がそれぞれ電極を通す電極板とされ、下端をパッキン材１９にて保持し、上端もパッキン材にて保持し上記空間部１５内と連通する透孔内に上端パッキン材と共に装着している。
【００１６】
液温を検知するサーミスタ等の温度感知器１７は、二つの電極板ａ、ｂの下端を保持したパッキン材１９の下端内側に装填されている。
【００１７】
次ぎに、内容器内の液量を検知する液量検知機構Ａについて図３に示す構成図に基づき説明する。液量検知機構Ａは、高周波電圧発生器６により高周波発振手段Ａ１を経て一方の電極板ａに高周波電圧を供給する。供給された高周波電圧が内容器２内の水中と空気中とで波長を変え、水中を通じて他方の電極板ｂに供給される高周波電圧を高周波検知手段Ａ２にて検知する。
【００１８】
高周波検知手段にて検知された高周波電圧をアンプ等の増幅手段Ａ３にて増幅する。この増幅手段にて増幅された高周波電圧を水位変換手段Ａ４にて水位に変換する。水位変換手段にて変換された水位を液量表示手段Ａ５にて複数の段階に液晶表示している。この液量検知機構Ａの一連の手段は、常にマイクロコンピュータＣを含む制御基板７にて処理されている。
【００１９】
液量表示手段Ａ５の段階的表示は、図５の液量表示フローに示すように、液体容器のシルエット内に示す黒い部分の増減にて表示され、満量を１９００ccとすると、内容器内の残量が１００cc以下の際、液体容器のシルエットが消灯し、内容器内の残量が１００cc以上であれば点灯するようにして、この１００ccを最初の水量の基準としている。従って、この消灯、点灯には、スイッチの必要がない。
【００２０】
又、内容器内の残量を１９０cc以下、７６０cc以下、１８００cc以下、１８００cc以上の満量と５段階に表示しているが、特にこの５段階に限定するものではなく、３段階でもよく、又８段階でも何ら支障をきたすものではない。この段階的な切り換えに際しても順次切り替えるようなスイッチの必要性もなくなる。
【００２１】
内容器内の液温を検知する液温検知機構Ｂについて図３に示す構成図に基づき説明すると、液温検知機構Ｂは、水中内の液温を液温検知手段Ｂ１のサーミスタ等の温度感知器１６にて検知し、液温検知手段にて検知された液温を液温表示手段Ｂ２にて複数の段階に液晶表示している。この液温検知機構Ｂの一連の手段は、常にマイクロコンピュータＣを含む制御基板７にて処理されている。
【００２２】
液温表示手段Ｂ２の段階的表示は、図５の液温表示フローに示すように、温度計のシルエット内に示す黒い部分の増減にて表示され、内容器内の温度が５９℃以下の際、温度計のシルエットが消灯し、内容器内の温度が６０℃以上であれば点灯し最初の基準としている。従って、この消灯、点灯には、スイッチの必要がない。           
【００２３】
又、内容器内の温度を６４℃以下、６９℃以下、７９℃以下、８０℃以上と５段階に表示しているが、特にこの５段階に限定するものではなく、３段階でもよく、又８段階でも何ら支障をきたすものではない。この段階的な切り換えに際しても順次切り替えるようなスイッチの必要性もなくなる。
【００２４】
更に、内容器内の温度が６０℃以上であれば点灯し、６４℃以下となれば点灯と同時にぬるいの表示を示し、６９℃以下の際には、適温表示の点滅とし、７０℃以上であれば、適温の表示が同時になされるようにしている。従って、温度表示が非常に見やすく又温度表示を詳細に確認することができる。この液量表示手段Ａ５の液体容器のシルエットと液温表示手段Ｂ２の温度計のシルエットとは、一つの表示板９上に同時にしてそれぞれ別個に表示されている。
【００２５】
次ぎに、液量及び液温に対する制御フローについて、図４に基づき説明する。スタートと同時に液量側では、最初の水量の基準に照らし合わされ、１００cc以下であれば基準より低いとして液体容器のシルエットが消灯し、スタート時点へ戻り、１００cc以上であれば基準より高いと判断され次の水量の基準に照らし合わされる。基準値１９０cc以下であれば基準より低いとして液体容器のシルエットに表示され、１９０cc以上であれば基準より高いと判断され次の水量の基準に照らし合わされる。この工程を順次繰り返し行い、液体容器のシルエットとして表示されることとなり、液体容器内の水の利用に伴い各基準値よりスタート時点へと戻ることとなる。
【００２６】
又、スタートと同時に液温側では、最初の液温の基準に照らし合わされ、５９℃以下であれば基準より低いとして温度計のシルエットが消灯し、スタート時点へ戻り、６０℃以上であれば基準より高いと判断され次の液温の基準に照らし合わされる。基準値６４℃以下となれば点灯と同時にぬるいの表示を示し、６４℃以上であれば基準より高いと判断され次の液温の基準に照らし合わされる。この工程を順次繰り返し行い、温度計のシルエットとして表示されることとなり、液体容器内の液温の低下に伴い各基準値よりスタート時点へと戻ることとなる。
【００２７】
制御基板７は、図１に示すように、電源８や表示板９と共に空間部１５内に納められており、この電源８や表示板９と共にボックスに収納され、ボックスごと空間部１５内に納めることもできる。
【００２８】
制御基板７は、電気系統をマイクロコンピュータ等の電子回路機構にて操作されており、液量検知機構Ａと液温検知機構Ｂからのデータを処理して表示板９の表面にて液温と液量とを表示するようにしている。電源８は、電池又は充電器であって、外部電源を導入してもよい。
【００２９】
蓋体５は、受部１３の蓋体用の雌ネジに螺着する下蓋と、下蓋の上端を閉鎖する上蓋と、下蓋と上蓋と内の空間に充填される断熱材２１とからなっており、下蓋の上方外周に受部１３の蓋体用の雌ネジと螺着する雄ネジを刻設している。
【００３０】
以上本発明の代表的と思われる実施例について説明したが、本発明は必ずしもこれら実施例構造のみに限定されるものではなく、例えば内容器を外装ケースで囲んだ卓上型魔法瓶のように本発明にいう前記の構成要件を備え、かつ、本発明にいう目的を達成し、本発明にいう効果を有する範囲内において適宜改変して実施することができるものである。
【図面の簡単な説明】
【００３１】
【図１】本発明実施例の正面中央縦断面図。
【図２】本発明実施例の右側中央縦断面図。
【図３】本発明実施例のブロック図。
【図４】本発明他実施例の制御フロー図。
【図５】本発明他実施例の液晶表示フロー図。
【符号の説明】
【００３２】
１…液体容器
２…内容器
３…把手
４…肩部材
５…蓋体
６…高周波電圧発生器
７…制御基板
８…電源
９…表示板
１２…肩部
１３…受部
１４…注ぎ口
１５…空間部
１６…温度感知器
２０…底壁
ａ、ｂ…電極板
Ａ…液量検知機構
Ｂ…液温検知機構
Ｃ…マイクロコンピュータ
Ａ１…高周波発振手段
Ａ２…高周波検知手段
Ａ３…増幅手段
Ａ４…水位変換手段
Ａ５…液量表示手段
Ｂ１…液温検知手段
Ｂ２…液温表示手段
【図１】
2008264141.tif 000003
【図２】
2008264141.tif 000004
【図３】
2008264141.tif 000005
【図４】
2008264141.tif 000006
【図５】
2008264141.tif 000007